(57)【要約】【課題】移動通信端末機への適用を容易にし、且つ移動通信端末機の小型軽量化にも有利にした、移動通信端末機のＩＣチップ型聴取補助回路およびこれを内蔵した移動通信端末機の提供。【解決手段】移動通信端末機とイヤスピーカ間の第１出力ライン上に直列に連結される抵抗性素子（Ｒ１）と誘導性素子（Ｌ１）からなる第１直列連結体と、移動通信端末機とイヤスピーカ間の第２出力ライン上に直列に連結される抵抗性素子（Ｒ４）と誘導性素子（Ｌ２）からなる第２直列連結体と、前記第１直列連結体の入力端と前記第２直列連結体の出力端との間に直列に連結される抵抗性素子（Ｒ２）と容量性素子（Ｃ２）からなる第３直列連結体と、前記第２直列連結体の入力端と前記第１直列連結体の出力端との間に直列に連結される抵抗性素子（Ｒ３）と容量性素子（Ｃ３）からなる第４直列連結体とを含む。【選択図】図３
2006238442.tif 000002
【特許請求の範囲】
【請求項１】
移動通信端末機とイヤスピーカ間の第１出力ライン（Ｒｅｃｅｉｖｅｒ＿Ｐ）上に直列に連結される抵抗性素子（Ｒ１）と誘導性素子（Ｌ１）からなる第１直列連結体と、
移動通信端末機とイヤスピーカ間の第２出力ライン（Ｒｅｃｅｉｖｅｒ＿Ｎ）上に直列に連結される抵抗性素子（Ｒ４）と誘導性素子（Ｌ２）からなる第２直列連結体と、
前記第１直列連結体の入力端と前記第２直列連結体の出力端との間に直列に連結される抵抗性素子（Ｒ２）と容量性素子（Ｃ２）からなる第３直列連結体と、
前記第２直列連結体の入力端と前記第１直列連結体の出力端との間に直列に連結される抵抗性素子（Ｒ３）と容量性素子（Ｃ３）からなる第４直列連結体とを含むことを特徴とする、移動通信端末機のＩＣチップ型聴取補助回路。
【請求項２】
前記聴取補助回路が、
前記第１直列連結体と前記第２直列連結体の出力端間または／および入力端間に連結されるフィルタ素子（Ｃ４または／およびＣ１）をさらに含むことを特徴とする、請求項１に記載の移動通信端末機のＩＣチップ型聴取補助回路。
【請求項３】
移動通信端末機のＩＣチップ型聴取補助回路が、
前記第１直列連結体と前記第２直列連結体の出力端または入力端それぞれに連結される雑音除去部（Ｒ５、Ｃ５、Ｒ６、Ｃ６）をさらに含むことを特徴とする、請求項１または２に記載の移動通信端末機のＩＣチップ型聴取補助回路。
【請求項４】
前記移動通信端末機のＩＣチップ型聴取補助回路が、
前記第１直列連結体と前記第２直列連結体の入力端それぞれに連結されてユーザからの利得設定に応じて出力信号を誘導ループ磁界増幅して出力する利得調整部をさらに含むことを特徴とする、請求項１または２に記載の移動通信端末機のＩＣチップ型聴取補助回路。
【請求項５】
前記移動通信端末機のＩＣチップ型聴取補助回路が、
前記第１直列連結体と前記第２直列連結体の入力端それぞれに連結されてユーザからの利得設定に応じて出力信号を誘導ループ磁界増幅して出力する利得調整部をさらに含むことを特徴とする、請求項３に記載の移動通信端末機のＩＣチップ型聴取補助回路。
【請求項６】
前記利得調整部が、
利得設定のための多数のスイッチ（Ｑ１、Ｑ２、Ｑ３、Ｑ４、Ｑ５、Ｑ６）と、
前記第１直列連結体と前記第２直列連結体の入力端それぞれにその出力端子が連結されるが、その一つの非反転入力端子と別の反転入力端子が接地に連結され、残りの入力端子と出力端子との間に前記多数のスイッチ（Ｑ１、Ｑ２、Ｑ３、Ｑ４、Ｑ５、Ｑ６）が並列に連結される２つの増幅器（Ｕ１、Ｕ２）と、
前記スイッチと２つの増幅器（Ｕ１、Ｕ２）の出力端子との間にそれぞれ連結される抵抗性素子（Ｒ７、Ｒ８、Ｒ９、Ｒ１０、Ｒ１１、Ｒ１２）とを含むことを特徴とする、請求項４に記載の移動通信端末機のＩＣチップ型聴取補助回路。
【請求項７】
前記利得調整部が、
前記２つの増幅器（Ｕ１、Ｕ２）の入力側に連結されるが、互いに異なる極性の入力端子にそれぞれ連結される容量性素子および抵抗性素子が直列に連結されたインピーダンス調整部（Ｃ７、Ｒ１３、Ｃ８、Ｃ１４）をさらに含むことを特徴とする、請求項６に記載の移動通信端末機のＩＣチップ型聴取補助回路。
【請求項８】
前記利得調整部が、
利得設定のための多数のスイッチ（Ｑ１、Ｑ２、Ｑ３、Ｑ４、Ｑ５、Ｑ６）と、
前記第１直列連結体と前記第２直列連結体の入力端それぞれにその出力端子が連結されるが、その一つの非反転入力端子と別の反転入力端子が接地に連結され、残りの入力端子と出力端子との間に前記多数のスイッチ（Ｑ１、Ｑ２、Ｑ３、Ｑ４、Ｑ５、Ｑ６）が並列に連結される２つの増幅器（Ｕ１、Ｕ２）と、
前記スイッチと２つの増幅器（Ｕ１、Ｕ２）の出力端子との間にそれぞれ連結される抵抗性素子（Ｒ７、Ｒ８、Ｒ９、Ｒ１０、Ｒ１１、Ｒ１２）とを含むことを特徴とする、請求項５に記載の移動通信端末機のＩＣチップ型聴取補助回路。
【請求項９】
前記利得調整部が、
前記２つの増幅器（Ｕ１、Ｕ２）の入力側に連結されるが、互いに異なる極性の入力端子にそれぞれ連結される容量性素子および抵抗性素子が直列に連結されたインピーダンス調整部（Ｃ７、Ｒ１３、Ｃ８、Ｒ１４）をさらに含むことを特徴とする、請求項８に記載の移動通信端末機のＩＣチップ型聴取補助回路。
【請求項１０】
前記第１直列連結体と前記第２直列連結体の出力端それぞれに連結され、聴取補助回路とイヤスピーカ間の連結を開閉するスイッチ（ＳＷ１、ＳＷ２）をさらに含むことを特徴とする、請求項１または２に記載の移動通信端末機のＩＣチップ型聴取補助回路。
【請求項１１】
前記第１直列連結体と前記第２直列連結体の出力端それぞれに連結され、聴取補助回路とイヤスピーカ間の連結を開閉するスイッチ（ＳＷ１、ＳＷ２）をさらに含むことを特徴とする、請求項３に記載の移動通信端末機のＩＣチップ型聴取補助回路。
【請求項１２】
前記第１直列連結体と前記第２直列連結体の出力端それぞれに連結され、聴取補助回路とイヤスピーカ間の連結を開閉するスイッチ（ＳＷ１、ＳＷ２）をさらに含むことを特徴とする、請求項４に記載の移動通信端末機のＩＣチップ型聴取補助回路。
【請求項１３】
前記第１直列連結体と前記第２直列連結体の出力端それぞれに連結され、聴取補助回路とイヤスピーカ間の連結を開閉するスイッチ（ＳＷ１、ＳＷ２）をさらに含むことを特徴とする、請求項５に記載の移動通信端末機のＩＣチップ型聴取補助回路。
【請求項１４】
請求項１〜１３のいずれか１項に記載の移動通信端末機のＩＣチップ型聴取補助回路を内蔵した移動通信端末機。
【発明の詳細な説明】
【技術分野】
【０００１】
本発明は、移動通信端末機の聴取補助回路およびこれを内蔵した移動通信端末機に係り、特に、移動通信端末機に聴取補助機能を装着して、聴覚障害のある人々が移動通信端末機を使用し得るようにした、移動通信端末機の聴取補助回路およびこれを内蔵した移動通信端末機に関する。
【背景技術】
【０００２】
現在、全世界的にＣＤＭＡ／ＧＳＭ／ＷＣＤＭＡ端末機やＰＤＡなどの移動通信端末機分野において聴覚障害のある人々のための聴取補助(Hearing Aid)機能を搭載した移動通信端末機に対する要求が増加しつつあり、米国ＦＣＣ(Federal Communications Commission)の規定によれば、聴取補助機能を搭載していない移動通信端末機は２００１年から販売を禁じている実情である。
【０００３】
聴取補助機能に対する代表的な技術は補聴器である。補聴器は、難聴を補完するために用いられる個人用電気増幅器であって、その内部に誘導ピックアップコイル（テレコイル）を備えており、電話機の誘導ループシステムから放射された磁界を増幅することにより、聴覚障害人が電話音を聴取し得るようにする。
【０００４】
図１は従来のイヤスピーカの一例を示す図である。
【０００５】
図１に示すように、イヤスピーカ１０は、磁界を形成させる永久磁石１１と、この永久磁石１１と共に磁気回路を構成する磁極片(pole piece)１２と、前記永久磁石１１と前記磁極片１２の外周に沿って巻き付けられるボイルコイル１３と、前記磁極片１２の前方に設置される振動板１４とを含み、フレーム１５とカバー１６によってこれらが内蔵されており、接続端子１７によってイヤスピーカ１０が移動通信端末機（図示せず）のイヤマイク端子に連結されて、移動通信端末機からのオーディオ信号をイヤスピーカを介して出力するようにする。
【０００６】
前述したイヤスピーカ１０は、永久磁石１１によって静的磁場が形成され、オーディオ信号が移動通信端末機から入力されてボイスコイルに電流が流れると、動的磁場が形成されてローレンツ力(Lorenz Force)が発生する。この際、オーディオ信号が交流なので、非常に短い周期（約１／１０００秒）で極性変換が行われ、この極性変換によってローレンツ力の方向が反転されることにより、引き合う力「引力」と退け合う力「斥力」が発生する。
【０００７】
前記ローレンツ力は、その大きさが磁力線（磁束密度）の大きさ、電流の量、巻きボイスコイルの長さに比例し、磁束の密度と電流とが成す平面の直角方向、すなわち振動板１４が形成された上下方向に作用する。
【０００８】
したがって、このローレンツ力によって振動板１４が上下に移動し、イヤスピーカの内部構造に応じて共振が発生して音響を出力する。
【０００９】
図２は従来の聴取補助機能付きイヤスピーカの一例を示す図である。
【００１０】
従来の聴取補助機能付きイヤスピーカは、図１に示したイヤスピーカのカバー１６の内部に聴取補助コイル１８を設置してボイスコイル１３上に聴取補助コイル１８が層(Cascade)を成すようにすることにより、漏洩磁気力によって聴取機能が向上するようにしたものである。
【００１１】
すなわち、ボイルコイル１３によって発生する磁気力は、一部がイヤスピーカの外部に漏洩する。ボイスコイル１３によって発生する磁気は、これと層を成した聴取補助コイル１８に影響する。よって、聴取補助コイル１８には誘導起電力が発生する。この起電力は、イヤスピーカに入力されるオーディオ信号とは大きさのみが異なる同一周波数を持つ。
【００１２】
したがって、聴取補助機能付きイヤスピーカから出力される音響は、ボイスコイルによる音響信号と、聴取補助コイル１８に誘導された起電力による音響信号との組み合わせ信号が出力されるので、聴覚障害人は、一般なイヤスピーカを利用する時より音の聞き取りが良くなる。
【００１３】
すなわち、一般イヤスピーカの場合と比較し、聴取補助機能付きイヤスピーカは、インピーダンスが非常に大きく、インピーダンスは磁界の強度に比例するので、結局磁界の強度を強化させ、聴覚障害のある人々に一般イヤスピーカを用いて移動通信端末機からの音声／音響を聴取する時より一層音がよく聞かれるようにする。
【００１４】
図９は従来の聴取補助機能付きイヤスピーカの応答特性を示すグラフであって、周波数による応答領域を表示している。
【００１５】
ところが、前述した従来の聴取補助機能付きイヤスピーカは、インピーダンスを大きくするために、すなわち磁界の強度を強化させ、聴覚障害のある人々が音をよく聞こえるようにするためには、コイルの厚さおよび巻線数、共振のためのイヤスピーカ自体の厚さなどを考慮せざるを得ない。
【００１６】
すなわち、磁界の強度を強化させるためには、コイルの厚さをさらに厚くし、さらに多くの巻線数を持つようにしなければならず、さらに良好な共振条件を満足させるためには、イヤスピーカ自体の厚さを大きくしなければならない。
【００１７】
しかし、現在の電子製品は小型軽量化の趨勢なので、時代的流れに反する大きいイヤスピーカは、ユーザが使用するにも不便な点が多い。また、現在使用されるイヤスピーカは、音声聴取のみが可能な単方向タイプではなく、音声聴取と音声入力が可能な両方向タイプ、すなわちイヤマイクホーンの形が主流を成すので、聴取補助機能を両方向タイプのイヤマイクホーンに適用するには容易ではない。
【００１８】
したがって、本発明者は、聴覚障害のある人々が移動通信端末機からのオーディオ信号を良好に聴取し得るようにする聴取補助回路をＩＣチップの形に実現して移動通信端末機への内蔵または外装を容易にし、且つ雑音の除去および磁場の補正を可能にした、移動通信端末機のＩＣチップ型聴取補助回路およびこれを内蔵した移動通信端末機に関する研究を行った。
【発明の開示】
【発明が解決しようとする課題】
【００１９】
そこで、本発明はこのような趣旨の下になされたもので、その目的とするところは、聴覚障害のある人々が移動通信端末機からのオーディオ信号を良好に聴取し得るようにする聴取補助回路をＩＣチップの形に実現するが、聴覚障害人の難聴の程度に合わせて出力される信号の増幅度を調節して一般ユーザ、難聴の程度が比較的良好なユーザ、および難聴の程度が非常に激しいユーザのいずれも移動通信端末機からのオーディオ信号を良好に聴取し得るようにした、移動通信端末機のＩＣチップ型聴取補助回路およびこれを内蔵した移動通信端末機を提供することにある。
【課題を解決するための手段】
【００２０】
上記課題を解決するために、移動通信端末機とイヤスピーカ間の第１出力ラインＲｅｃｅｉｖｅｒ＿Ｐ上に直列に連結される抵抗性素子Ｒ１と誘導性素子Ｌ１からなる第１直列連結体と、移動通信端末機とイヤスピーカ間の第２出力ラインＲｅｃｅｉｖｅｒ＿Ｎ上に直列に連結される抵抗性素子Ｒ４と誘導性素子Ｌ２からなる第２直列連結体と、前記第１直列連結体の入力端と前記第２直列連結体の出力端との間に直列に連結される抵抗性素子Ｒ２と容量性素子Ｃ２からなる第３直列連結体と、前記第２直列連結体の入力端と前記第１直列連結体の出力端との間に直列に連結される抵抗性素子Ｒ３と容量性素子Ｃ３からなる第４直列連結体とを含むことを特徴とする、移動通信端末機のＩＣチップ型聴取補助回路およびこれを内蔵した移動通信端末機が提供される。
【００２１】
したがって、本発明は、ＩＣチップ型聴取補助回路を移動通信端末機に適用し易いという利点を持つ。
【発明の効果】
【００２２】
上述した本発明の移動通信端末機のＩＣチップ型聴取補助回路およびこれを内蔵した移動通信端末機は、聴覚障害のある人々が移動通信端末機からのオーディオ信号を良好に聴取し得るようにする聴取補助回路をＩＣチップの形に実現することにより、移動通信端末機への適用を容易にし、移動通信端末機の小型軽量化にも有利にするうえ、ひいては聴覚障害人の難聴の程度に合わせて出力される信号の増幅度を調節して一般ユーザ、難聴の程度が比較的良好なユーザ、および難聴の程度が非常に激しいユーザのいずれも移動通信端末機から出力されるオーディオ信号を良好に聴取し得るようにするという有用な効果を持つ。
【発明を実施するための最良の形態】
【００２３】
以下に添付図面を参照しながら、本発明の好適な実施例について詳細に説明する。
【００２４】
図３は本発明に係る移動通信端末機のＩＣチップ型聴取補助回路の第１実施例を示すブロック図である。
【００２５】
この実施例に係る移動通信端末機のＩＣチップ型聴取補助回路は、聴取補助回路部１００を含み、この聴取補助回路部１００は、第１直列連結体１１０と、第２直列連結体１２０と、第３直列連結体１３０と、第４直列連結体１４０とを含んで集積化したものである。
【００２６】
前記第１直列連結体１１０は、移動通信端末機とイヤスピーカ間の第１出力ラインＲｅｃｅｉｖｅｒ＿Ｐ上に直列に連結される抵抗性素子Ｒ１と誘導性素子Ｌ１からなるＲＬ直列回路であって、第１出力ラインＲｅｃｅｉｖｅｒ＿Ｐを介して移動通信端末機から入力される交流信号のオーディオ信号をイヤスピーカに出力するが、前記抵抗性素子Ｒ１と前記誘導性素子Ｌ１で形成されるインピーダンスによってイヤスピーカの磁界強度を強化させることにより、聴覚障害のある人がより楽に音質の供給を受けられるようにする。
【００２７】
前記第２直列連結体１２０は、移動通信端末機とイヤスピーカ間の第２出力ラインＲｅｃｅｉｖｅｒ＿Ｎ上に直列に連結される抵抗性素子Ｒ４と誘導性素子Ｌ２からなるＲＬ直列回路であって、第２出力ラインＲｅｃｅｉｖｅｒ＿Ｎを介して移動通信端末機から入力される交流信号のオーディオ信号をイヤスピーカに出力するが、前記抵抗性素子Ｒ４と誘導性素子Ｌ２で形成されるインピーダンスによってイヤスピーカの磁界強度を強化させることにより、聴覚障害のある人がより楽に音質の供給を受けられるようにする。
【００２８】
前記第１出力ラインＲｅｃｅｉｖｅｒ＿Ｐと第２出力ラインＲｅｃｅｉｖｅｒ＿Ｎは、それぞれイヤスピーカの左右側スピーカに連結されることが好ましい。
【００２９】
前記第３直列連結体１３０は、前記第１直列連結体１１０の入力端と前記第２直列連結体１２０の出力端との間に直列に連結される抵抗性素子Ｒ２と容量性素子Ｃ２からなるＲＣ直列回路であって、前記第１直列連結体１１０の誘導性素子Ｌ１と前記第２直列連結体１２０の誘導性素子Ｌ２間の相互干渉によって発生するトレランス(Tolerance)を抵抗性素子Ｒ２を介して補正する。この際、前記容量性素子Ｃ２は、交流信号のオーディオ信号は通過させ且つ直流信号は遮断するブロッキング動作を行う。
【００３０】
前記第４直列連結体１４０は、前記第２直列連結体１２０の入力端と前記第１直列連結体１１０の出力端との間に直列に連結される抵抗性素子Ｒ３と容量性素子Ｃ３からなるＲＣ直列回路であって、前記第２直列連結体１２０の誘導性素子Ｌ２と前記第１直列連結体１１０の誘導性素子Ｌ１間の相互干渉によって発生するトレランスを抵抗性素子Ｒ３を介して補正する。この際、前記容量性素子Ｃ３は、交流信号のオーディオ信号は通過させ且つ直流信号は遮断するブロッキング動作を行う。
【００３１】
したがって、本発明は、前記第１連結体１１０と前記第２連結体１２０を介して移動通信端末機から入力される交流信号のオーディオ信号をイヤスピーカに出力するが、抵抗性素子と誘導性素子で形成されるインピーダンスによってイヤスピーカの磁界を補正して磁界強度を強化させ、前記第３連結体１３０と前記第４連結体１４０の抵抗性素子を介して前記第１連結体１１０と前記第２連結体１２０間の相互干渉によって発生するトレランスを補正することにより、聴覚障害のある人に良質の音声または音響を提供する。この際、本発明に係る移動通信端末機のＩＣチップ型聴取補助回路は、移動通信端末機に内蔵または外装される形に実現されて移動通信端末機からのオーディオ信号をイヤスピーカに出力するが、イヤスピーカの磁界強度を補正することにより、聴覚障害のある人に良質の音声または音響を提供する。
【００３２】
一方、本発明に係る移動通信端末機のＩＣチップ型聴取補助回路が、前記第１直列連結体１１０の出力端と第２直列連結体１２０の出力端との間に連結されるフィルタ素子Ｃ４をさらに含むこともできる。
【００３３】
また、本発明に係る移動通信端末機のＩＣチップ型聴取補助回路が、前記第１直列連結体１１０の入力端と第２直列連結体１２０の入力端との間に連結されるフィルタ素子Ｃ１をさらに含むこともできる。
【００３４】
人が聴取可能な周波数は約２０〜２００００Ｈｚであるが、これに対し、個人携帯端末機で聴取可能なオーディオ信号の周波数は約４０００〜５０００Ｈｚ程度なので、前記フィルタ素子Ｃ１、Ｃ４は、前記第１直列連結体１１０と前記第２直列連結体１２０の入／出力端で４０００Ｈｚ以下の周波数を有する信号を雑音として見なし、これをフィルタリングする。
【００３５】
例えば、従来の聴取補助機能付きイヤスピーカの場合、インピーダンスが約１５０Ω程度に設定されると仮定するとき、本発明では、前記抵抗性素子Ｒ１、Ｒ４を約１２５Ω、抵抗性素子Ｒ２、Ｒ３を約１７５Ω、容量性素子Ｃ１、Ｃ４を約０．０１１μＦ、容量性素子Ｃ２、Ｃ３を約０．０１２μＦ、誘導性素子Ｌ１、Ｌ２を約０．３４０ｍＨとすると、イヤスピーカによるインピーダンスが約３２Ωとなるので、従来と同様の性能を得ることができる。
【００３６】
図４は本発明に係る移動通信端末機のＩＣチップ型聴取補助回路の第２実施例を示すブロック図である。
【００３７】
この実施例に係る移動通信端末機のＩＣチップ型聴取補助回路は、図３に示した聴取補助回路部１００の構成に加えて、前記第１直列連結体１１０と第２直列連結体１２０の出力端それぞれに連結される雑音除去部Ｒ５、Ｃ５、Ｒ６、Ｃ６、２００をさらに含む。
【００３８】
人が聴取可能な周波数は約２０〜２００００Ｈｚであるが、これに対し、個人携帯端末機で聴取可能なオーディオ信号の周波数は約４０００〜５０００Ｈｚ程度なので、ＲＣフィルタを構成する前記雑音除去部Ｒ５、Ｃ５、Ｒ６、Ｃ６、２００を介して、第１直列連結体１１０と第２直列連結体１２０の出力端で５０００Ｈｚ以上の周波数を有する信号を雑音として見なし、これをフィルタリングして除去する。
【００３９】
図５は本発明に係る移動通信端末機のＩＣチップ型聴取補助回路の第３実施例を示すブロック図である。
【００４０】
この実施例に係る移動通信端末機のＩＣチップ型聴取補助回路は、図３に示した聴取補助回路部１００の構成に加えて、前記第１直列連結体１１０と第２直列連結体１２０の入力端それぞれに連結される雑音除去部Ｒ５、Ｃ５、Ｒ６、Ｃ６、２００をさらに含む。
【００４１】
人が聴取可能な周波数は約２０〜２００００Ｈｚであるが、これに対し、個人携帯端末機で聴取可能なオーディオ信号の周波数は約４０００〜５０００Ｈｚ程度なので、ＲＣフィルタを構成する前記雑音除去部Ｒ５、Ｃ５、Ｒ６、Ｃ６、２００を介して、前記第１直列連結体１１０と第２直列連結体１２０の入力端で５０００Ｈｚ以下の周波数を有する信号を雑音として見なし、これをフィルタリングして除去する。
【００４２】
図６は本発明に係る移動通信端末機のＩＣチップ型聴取補助回路の第４実施例を示すブロック図、図７は本発明に係る移動通信端末機のＩＣチップ型聴取補助回路の第５実施例を示すブロック図であって、それぞれ図４および図５に示した実施例の構成に加えて利得調整部３００をさらに含んだものである。
【００４３】
前記利得調整部３００は、前記第１直列連結体１００と第２直列連結体１２０の入力端それぞれに連結され、ユーザからの利得設定に応じて出力信号を誘導ループ磁界増幅して出力する。
【００４４】
すなわち、この利得調整部３００は、聴覚障害人の難聴の程度に合わせて出力される信号の増幅度を調節して一般ユーザ、難聴の程度が比較的良好なユーザ、および難聴の程度が非常に激しいユーザのいずれも移動通信端末機からのオーディオ信号を良好に聴取し得るようにする。
【００４５】
具体的に、この利得調整部３００は、多数のスイッチＱ１、Ｑ２、Ｑ３、Ｑ４、Ｑ５、Ｑ６、２つの増幅器Ｕ１、Ｕ２、および多数の抵抗性素子Ｒ７、Ｒ８、Ｒ９、Ｒ１０、Ｒ１１、Ｒ１２を含む。
【００４６】
前記多数のスイッチＱ１、Ｑ２、Ｑ３、Ｑ４、Ｑ５、Ｑ６は、イヤスピーカに出力されるオーディオ信号の利得を選択的に制御するためのユーザ利得設定を受けるための部分である。図６において、Ｇａｉｎ１は一般ユーザモード、Ｇａｉｎ２は難聴の程度が比較的良好なユーザモード、Ｇａｉｎ３は難聴の程度が非常に激しいユーザモードをそれぞれ示す。
【００４７】
したがって、本発明のシステム利用の際、一般ユーザはＧａｉｎ１に該当するスイッチを、難聴の程度が比較的良好なユーザはＧａｉｎ２に該当するスイッチを、難聴の程度が非常に激しいユーザはＧａｉｎ３に該当するスイッチをそれぞれ押せばよい。
【００４８】
前記２つの増幅器Ｕ１、Ｕ２は、前記第１直列連結体１１０と第２直列連結体１２０の入力端それぞれにその出力端子が連結されるが、その一つの非反転入力端子と別の反転入力端子が接地に連結され、残りの入力端子と出力端子との間に前記多数のスイッチＱ１、Ｑ２、Ｑ３、Ｑ４、Ｑ５、Ｑ６が並列に連結されることにより、移動通信端末機からのオーディオ信号を、前記スイッチＱ１、Ｑ２、Ｑ３、Ｑ４、Ｑ５、Ｑ６の選択に応じて、選択された当該モードに対応するレベルの信号に増幅して出力する。
【００４９】
前記抵抗性素子Ｒ７、Ｒ８、Ｒ９、Ｒ１０、Ｒ１１、Ｒ１２は、前記スイッチと２つの増幅器Ｕ１、Ｕ２の出力端子との間にそれぞれ連結されるフィードバック抵抗であって、この抵抗を介してフィードバックされる信号によって前記２つの増幅器Ｕ１、Ｕ２の出力信号の利得が調整される。
【００５０】
一方、前記利得調整部３００が前記２つの増幅器Ｕ１、Ｕ２の入力側に連結されるが、互いに異なる極性の入力端子にそれぞれ連結される容量性素子および抵抗性素子が、直列に連結されたインピーダンス調整部Ｃ７、Ｒ１３、Ｃ８、Ｒ１４をさらに含むようにして、前記２つの増幅器Ｕ１、Ｕ２に入力される信号の入力インピーダンスをマッチングさせることが好ましい。この際、抵抗性素子Ｒ１３、Ｒ１４は、増幅器Ｕ１、Ｕ２の入力インピーダンスであり、前記容量性素子Ｃ７、Ｃ８は、直流信号が増幅器Ｕ１、Ｕ２に入力されることを防止するブロッキング機能を行う。
【００５１】
したがって、前記のように構成することにより、ユーザがイヤスピーカに出力されるオーディオ信号の利得を調整するにつれて増幅器の増幅度が変わるので、一般ユーザ、難聴の程度が比較的良好なユーザ、および難聴の程度が非常に激しいユーザのいずれも移動通信端末機からのオーディオ信号を良好に聴取することができる。
【００５２】
図８は本発明に係る移動通信端末機のＩＣチップ型聴取補助回路の第６実施例を示すブロック図である。
【００５３】
この実施例に係る移動通信端末機のＩＣチップ型聴取補助回路は、前記第１直列連結体１１０と第２直列連結体１２０の出力端それぞれに連結され、聴取補助回路とイヤスピーカ間の連結を開閉するスイッチＳＷ１、ＳＷ２、４００をさらに含む。
【００５４】
この実施例は、第１直列連結体１１０と第２直列連結体１２０の出力端それぞれに連結されたスイッチＳＷ１、ＳＷ２、４００を開閉することにより、移動通信端末機のＩＣチップ型聴取補助回路を用いてイヤスピーカに移動通信端末機からのオーディオ信号を出力するか否かを選択し得るように実現したもので、好ましくは、前記スイッチＳＷ１、ＳＷ２が移動通信端末機の聴取補助回路の第１直列連結体１１０と第２直列連結体１２０の出力端それぞれと、移動通信端末機のＩＣチップ型聴取補助回路が連結されていない２つのオーディオ信号入力ラインの間を切り換えることにより、オーディオ信号を移動通信端末機のＩＣチップ型聴取補助回路を介してイヤスピーカに入力するか、移動通信端末機のＩＣチップ型聴取補助回路を介せずにイヤスピーカに入力するかを選択し得るようにする。
【００５５】
図１０（ａ）および図１０（ｂ）は、本発明に係る移動通信端末機のＩＣチップ型聴取補助回路を適用した場合のイヤスピーカの応答特性を示すグラフである。
【００５６】
図１０（ａ）は、軸方向における磁場の強度を示す図であって、破線は本発明を適用した場合を、実線は本発明を適用していない場合をそれぞれ示す。図１０（ａ）から分かるように、周波数１ｋＨｚで本発明を適用した場合には−１４．１ｄＢ、本発明を適用していない場合には−３０．８ｄＢであって、本発明の場合、従来の場合より磁界の強度が大きくなることが分かる。
【００５７】
図１０（ｂ）は、半径方向における磁場の強度を示す図であって、破線は本発明を適用した場合を、実線は本発明を適用していない場合をそれぞれ示す。図１０（ｂ）から分かるように、周波数１ｋＨｚで本発明を適用した場合には−２０．３ｄＢ、本発明を適用していない場合には−３４．９ｄＢであって、本発明の場合、従来の場合より磁界の強度が大きくなることが分かる。
【００５８】
したがって、前記のようにすることにより、前記で提示した本発明に係る移動通信端末機のＩＣチップ型聴取補助回路およびこれを内蔵した移動通信端末機の目的を達成することができる。
【００５９】
以上、添付図面を参照しながら本発明の好適な実施例について説明したが、このような記載から、特許請求の範囲によって包括される範囲内において、本発明の範疇を逸脱することなく、各種の変更例に想到し得ることは明らかである。
【産業上の利用可能性】
【００６０】
本発明は、移動通信端末機の聴取補助回路およびこれを内蔵した移動通信端末機に係り、特に、移動通信端末機に聴取補助機能を装着して、聴覚障害のある人々が移動通信端末機を使用し得るようにした、移動通信端末機の聴取補助回路およびこれを内蔵した移動通信端末機などに好適に用いられる。
【図面の簡単な説明】
【００６１】
【図１】従来のイヤスピーカの一例を示す図である。
【図２】従来の聴取補助機能付きイヤスピーカの一例を示す図である。
【図３】本発明に係る移動通信端末機のＩＣチップ型聴取補助回路の第１実施例を示すブロック図である。
【図４】本発明に係る移動通信端末機のＩＣチップ型聴取補助回路の第２実施例を示すブロック図である。
【図５】本発明に係る移動通信端末機のＩＣチップ型聴取補助回路の第３実施例を示すブロック図である。
【図６】本発明に係る移動通信端末機のＩＣチップ型聴取補助回路の第４実施例を示すブロック図である。
【図７】本発明に係る移動通信端末機のＩＣチップ型聴取補助回路の第５実施例を示すブロック図である。
【図８】本発明に係る移動通信端末機のＩＣチップ型聴取補助回路の第６実施例を示すブロック図である。
【図９】従来の聴取補助機能付きイヤスピーカの応答特性を示すグラフである。
【図１０】（ａ）および（ｂ）は、本発明に係る移動通信端末機のＩＣチップ型聴取補助回路を適用した場合のイヤスピーカの応答特性を示すグラフである。
【符号の説明】
【００６２】
１０    イヤスピーカ
１１    永久磁石
１２    磁極片(pole piece)
１３    ボイスコイル
１４    振動板
１５    フレーム
１６    カバー
１７    接続端子
１８    聴取補助コイル
１００    聴取補助回路部
１１０    第１直列連結体
１２０    第２直列連結体
１３０    第３直列連結体
１４０    第４直列連結体
２００    雑音除去部
３００    利得調整部
４００    スイッチ
【図１】
2006238442.tif 000003
【図２】
2006238442.tif 000004
【図３】
2006238442.tif 000005
【図４】
2006238442.tif 000006
【図５】
2006238442.tif 000007
【図６】
2006238442.tif 000008
【図７】
2006238442.tif 000009
【図８】
2006238442.tif 000010
【図９】
2006238442.tif 000011
【図１０】
2006238442.tif 000012